(57)【要約】【課題】持ち運び易く、流量と圧力を同時に計測でき、そのデータを保存できる携帯型気体計測装置を提供することを目的とするものである。【解決手段】気体の流量を計測する気体連絡口を有した流量計１０，１１，１２と、気体の圧力を計測する気体連絡口を有した圧力計１６と、流量または圧力データを計測するデータ計測装置１３と、当該データ計測装置に接続する電源１７と、上記流量計１０，１１，１２または上記圧力計１６の気体連絡口に少なくとも一方が連結する連結部を有し、他方は配管チューブ１４に接続し、連続して連結可能な複数の異径の継手連結体１５と、上記流量計１０，１１，１２と上記圧力計１６と上記データ計測装置１３と上記異径の継手連結体１５との形状に対応した凹部に格納する固形の緩衝材１８を有したケース１９とを備え、計測地に携帯して気体の流量または圧力をリアルタイムに計測できる構成とした。【選択図】図１
2007132880.tif 000002
【特許請求の範囲】
【請求項１】
気体の流量を計測する気体連絡口を有した流量計と、
気体の圧力を計測する気体連絡口を有した圧力計と、
上記流量計または上記圧力計と電気的接続により流量または圧力データを計測するデータ計測装置と、
当該データ計測装置に接続する電源と、
上記流量計または上記圧力計の気体連絡口に少なくとも一方が連結する連結部を有し、他方は配管チューブに接続し、連続して連結可能な複数の異径の継手連結体と、
上記流量計と上記圧力計と上記データ計測装置と上記異径の継手連結体との形状に対応した凹部に上記流量計と上記圧力計と上記データ計測装置と上記異径の継手連結体とを格納する固形の緩衝材を有したケースとを備え、
計測地に携帯して気体の流量または圧力をリアルタイムに計測できることを特徴とする携帯型気体計測装置。
【発明の詳細な説明】
【技術分野】
【０００１】
本発明は、各種気体の流量や圧力の計測などに用いる計測装置に関するものである。
【背景技術】
【０００２】
従来、この種の各種気体の計測などに用いる装置は、通常、計測装置は流量計１と鋼管２と入口側継手３と出口側継手４とストップ弁５で形成され、設備配管の途中に気体計測装置を挿入し測定する。また、鋼管と入口・出口に異径継手を具備する構成であり、その従来における気体計測装置の構成例を図４に示す。
【０００３】
なお、この出願の発明に関する先行技術文献情報としては、例えば特許文献１が知られている。
【特許文献１】特開平９−３２９４７３号公報
【発明の開示】
【発明が解決しようとする課題】
【０００４】
しかしながら、上記従来の気体計測装置では次の課題がある。即ち、上記従来の気体計測装置においては、異径継手を多数使用するために、計測装置自体の寸法が大きくなり持ち運びが不便であり、また気体の流量のみの計測であり圧力を同時に計測できなかった。また、その場で計測データを保存（セーブ）できないという課題を有していた。
【０００５】
本発明は、上記課題を解決しようとするものであり、流量計と圧力計と各種異径の継手連結体とデータ計測装置を固形の緩衝材を内蔵するケースに格納することにより、持ち運び易く携帯性を向上させ、気体の流量と圧力を同時に計測可能にし、そのデータを同時にセーブさせるようにした携帯型気体計測装置を提供することを目的とするものである。
【課題を解決するための手段】
【０００６】
上記目的を達成するために、本発明は以下の構成を有する。
【０００７】
本発明の請求項１に記載の発明は、特に、気体の流量を計測する気体連絡口を有した流量計と、気体の圧力を計測する気体連絡口を有した圧力計と、上記流量計または上記圧力計と電気的接続により流量または圧力データを計測するデータ計測装置と、当該データ計測装置に接続する電源と、上記流量計または上記圧力計の気体連絡口に少なくとも一方が連結する連結部を有し、他方は配管チューブに接続し、連続して連結可能な複数の異径の継手連結体と、上記流量計と上記圧力計と上記データ計測装置と上記異径の継手連結体との形状に対応した凹部に上記流量計と上記圧力計と上記データ計測装置と上記異径の継手連結体とを格納する固形の緩衝材を有したケースとを備えたことにより、計測地に持ち運び易く、各種サイズの配管にも対応でき、また、計測装置が組立て式であり外段取りが可能なため、配管への挿入時間が短縮でき、気体の流量と圧力を同時に計測でき、これにより、気体の流量と圧力を時系列でリアルタイムに計測して確認することができ、また、データを保存（セーブ）できるという作用効果を有する。
【発明の効果】
【０００８】
本発明の携帯型気体計測装置は、流量計と圧力計とデータ計測装置などを固形の緩衝材を内蔵するケースに格納することにより、持ち運び易く、各種サイズの配管にも対応でき、また、計測装置が組立て式であり外段取りが可能なため、配管への挿入時間が短縮でき、気体の流量と圧力をリアルタイムで同時に計測でき、データをセーブ・格納できるという作用効果を有する。
【発明を実施するための最良の形態】
【０００９】
以下、実施の形態を用いて、本発明の特に請求項１に記載の発明について図面を参照しながら説明する。
【００１０】
図１は本発明の実施の形態における携帯型気体計測装置の要部構成図、図２は同装置における計測の説明図である。
【００１１】
図１において、携帯型気体計測装置は大容量流量計（１５０〜３０００Ｌ／ｍｉｎ）１０と中容量流量計（５０〜５００Ｌ／ｍｉｎ）１１と小容量流量計（１０〜１００Ｌ／ｍｉｎ）１２とを備えた構成とし、データ計測装置１３と配管チューブ１４と異径の継手連結体１５と圧力計１６と直流電源１７を各構成部品に対応する凹部を有した固形の緩衝材１８を内蔵するケース１９に各構成部品を個々に分解して格納する構成とする。これにより、計測装置自体がコンパクトに収納できて人手で搬送可能で、計測地に持ち運び易く、どんな配管サイズにも対応可能で、配管内への計測装置の挿入時間が短時間でできる。また、携帯先での計測現場において、１０〜３０００Ｌ／ｍｉｎまでの気体流量が計測でき、さらに圧力も計測可能である。
【００１２】
上記携帯型気体計測装置を使用した計測について、図２を用いて説明する。図２、図３に示すごとく、データ計測装置１３で計測したデータはパソコン２０によりデータをセーブできる。この時、時系列的にリアルタイムで気体のエア消費状況が数値化でき、気体の漏れなどの問題点が瞬時に顕在でき、対策後の効果をも早期に確認することができるのである。
【００１３】
さらに、計測時に、流量、圧力、データの保存（セーブ）のどれかを選択的に実行することができ、不要な計測項目がある場合は省略して計測することも可能である。
【００１４】
なおまた、本発明の気体は空気などのエアのみでなく、窒素などの流体であれば、使用することが可能である。
【００１５】
なお、ケース１９の上段には、計測装置の主要構成部品を、下段またはケース蓋部に多段化して上記と同様の固形の緩衝材１８を用いてパソコン２０を収納し、携帯型気体計測装置を構成することにより、さらに上記装置の携帯性を高めて作業性を向上することができる。
【産業上の利用可能性】
【００１６】
本発明にかかる携帯型気体計測装置は、流量計と圧力計とデータ計測装置を固形の緩衝材を内蔵するケースに格納することにより、持ち運び易く、各種サイズの配管にも対応でき、また、計測装置が組立て式であり外段取りが可能なため、配管への挿入時間が短縮でき、気体の流量と圧力を同時にリアルタイムで計測でき、データを保存できるという作用効果を有し、各種気体の計測などに用いる携帯型計測装置として有用である。
【図面の簡単な説明】
【００１７】
【図１】（ａ）本発明の実施の形態における携帯型気体計測装置の要部構成図（ケース収納状態）、（ｂ）本発明の実施の形態における携帯型気体計測装置の要部構成図（組立状態）、（ｃ）本発明の実施の形態における携帯型気体計測装置の要部構成図（外形サイズ）
【図２】同装置における計測時の構成図
【図３】同装置における計測時のデータを示す図
【図４】従来の気体計測装置の要部構成図
【符号の説明】
【００１８】
１  流量計
２  鋼管
３  入口側継手
４  出口側継手
５  ストップ弁
１０  大容量流量計（１５０〜３０００Ｌ／ｍｉｎ）
１１  中容量流量計（５０〜５００Ｌ／ｍｉｎ）
１２  小容量流量計（１０〜１００Ｌ／ｍｉｎ）
１３  データ計測装置
１４  配管チューブ
１５  異径の継手連結体
１６  圧力計
１７  直流電源
１８  固形の緩衝材
１９  ケース
２０  パソコン
【図１】
2007132880.tif 000003
【図２】
2007132880.tif 000004
【図３】
2007132880.tif 000005
【図４】
2007132880.tif 000006